(57)【要約】【課題】無駄な電力消費を抑制する。【解決手段】操作ボタンを操作していない無操作時間が２分を超えたときには、ＣＰＵ３０は省電力モードに切り換える。無操作時間が３分を超えたときには、ＣＰＵ３０は撮影モードに切り換え、判定部５０は画像信号処理部３６による調整を２回開始する。判定部５０は、画像信号処理部３６のＡＥ回路４２及びＡＦ回路４３による焦点調整及び露出調整が可能であったか否かを判定する。２回とも露出調整及び焦点調整のいずれも不能であると判定され、且つ温度検出センサ４８による検出温度が５０℃を超えている場合には、ＣＰＵ３０は、スピーカ５２から「誤電源オンされています」という音声を出力する。音声出力されてからの無操作時間が３０秒を超えたときには、ＣＰＵ３０は、電源をオフする。【選択図】図４
2010135976.tif 000002
【特許請求の範囲】
【請求項１】
電源をオン／オフする電源ボタンを含む複数の操作ボタンと、
電源がオンされたときに時間計測を開始するタイマと、
被写体像を撮像する撮像手段と、
前記被写体像に対する露出調整と焦点調整との少なくとも一方を行う調整手段と、
前記電源ボタン以外の操作ボタンが操作されないまま前記タイマによる計測時間が第１設定時間を超えたときに、前記調整手段による調整を開始させるとともに前記調整が可能であるか否かを判定する判定手段と、
前記電源ボタンの操作により作動されるとともに、前記判定手段の判定結果に基づいて電源のオン／オフを制御する電源制御手段と、を備えることを特徴とする電子装置。
【請求項２】
前記電源制御手段は、前記判定手段により前記調整が可能でないと判定されたことに応じて、電源をオフすることを特徴とする請求項１記載の電子装置。
【請求項３】
温度検出センサを備え、
前記電源制御手段は、前記温度検出センサによる検出温度が第１設定温度を超えている状態で前記判定手段により前記調整が可能でないと判定されたときに、電源をオフすることを特徴とする請求項１記載の電子装置。
【請求項４】
前記撮像手段で撮影を行う撮影モードと前記撮影モードよりも消費電力が少ない省電力モードとの間で切り換えるモード切換手段を備え、
前記モード切換手段は、前記電源ボタン以外の操作ボタンが操作されないまま前記計測時間が前記第１設定時間よりも短い第２設定時間を超えたときに、前記省電力モードに切り換え、前記省電力モード中に前記判定手段が前記調整を開始させるときに、前記撮影モードに切り換え、
前記電源制御手段は、前記検出温度が前記第１設定温度よりも低い第２設定温度を超えて前記第１設定温度以下である状態で前記判定手段により前記調整が可能でないと判定されたときには、電源をオンしたまま前記モード切換手段を作動して前記省電力モードに切り換え、前記検出温度が前記第２設定温度以下である状態で前記判定手段により前記調整が可能でないと判定されたときには、電源をオンしたまま前記撮影モードを継続させることを特徴とする請求項３記載の電子装置。
【請求項５】
前記判定手段により前記調整が可能でないと判定されたときに、それを報知する報知手段を備え、
前記電源制御手段は、前記報知手段により報知されてから、前記電源ボタン以外の操作ボタンが操作されないまま前記計測時間が第３設定時間を超えたときに、電源をオフすることを特徴とする請求項１ないし４いずれか１つ記載の電子装置。
【請求項６】
前記判定手段は、前記調整を複数回開始させることを特徴とする請求項１ないし５いずれか１つ記載の電子装置。
【請求項７】
操作ボタンが操作されないまま計測時間が設定時間を超えたときに、撮像手段で撮像する被写体像に対する露出調整と焦点調整との少なくとも一方を開始させるとともに、前記少なくとも一方による調整が可能であるか否かを判定し、この判定結果に基づいて電源のオン／オフを制御することを特徴とする電子装置の制御方法。
【発明の詳細な説明】
【技術分野】
【０００１】
本発明は、電子装置及びその制御方法に関するものである。
【背景技術】
【０００２】
電子装置、例えばデジタルカメラは、撮影を行う撮影ボタン、各種設定を行う設定ボタン、電源のオン／オフを行う電源ボタン等の操作ボタンが設けられている。デジタルカメラは、携帯されるものであり、携帯時には、カバンやポケット等に収納される。カバンやポケットに収納されているときに電源ボタンが誤って操作されると、電源がオンし、無駄な電力を消費することになる。
【０００３】
そこで、特許文献１では、操作ボタンが操作されていない無操作状態の時間が、予め設定された設定時間を超えた場合に、自動的に電源をオフする電源制御装置が提案されている。
【特許文献１】特開２００３−１３１７６０号公報
【発明の開示】
【発明が解決しようとする課題】
【０００４】
上記設定時間が長いと、カバンやポケットに収納されているときに、操作ボタンが誤って操作されてしまうことがあり、この場合には電源がオフされないため、無駄な電力を消費することになる。このため、上記設定時間を短くすることが考えられるが、設定時間を短くすると、撮影中にも電源がオフされることがあるため、設定時間はあまり短くすることができない。
【０００５】
本発明は、上記課題を解決するためになされたものであり、無駄な電力消費を抑制することができる電子装置及びその制御方法を提供することを目的とする。
【課題を解決するための手段】
【０００６】
上記目的を達成するために、本発明の電子装置は、電源をオン／オフする電源ボタンを含む複数の操作ボタンと、電源がオンされたときに時間計測を開始するタイマと、被写体像を撮像する撮像手段と、前記被写体像に対する露出調整と焦点調整との少なくとも一方を行う調整手段と、前記電源ボタン以外の操作ボタンが操作されないまま前記タイマによる計測時間が第１設定時間を超えたときに、前記調整手段による調整を開始させるとともに前記調整が可能であるか否かを判定する判定手段と、前記電源ボタンの操作により作動されるとともに、前記判定手段の判定結果に基づいて電源のオン／オフを制御する電源制御手段と、を備えることを特徴とする。
【０００７】
また、前記電源制御手段は、前記判定手段により前記調整が可能でないと判定されたことに応じて、電源をオフすることが好ましい。
【０００８】
さらに、温度検出センサを備え、前記電源制御手段は、前記温度検出センサによる検出温度が第１設定温度を超えている状態で前記判定手段により前記調整が可能でないと判定されたときに、電源をオフすることが好ましい。
【０００９】
また、前記撮像手段で撮影を行う撮影モードと前記撮影モードよりも消費電力が少ない省電力モードとの間で切り換えるモード切換手段を備え、前記モード切換手段は、前記電源ボタン以外の操作ボタンが操作されないまま前記計測時間が前記第１設定時間よりも短い第２設定時間を超えたときに、前記省電力モードに切り換え、前記省電力モード中に前記判定手段が前記調整を開始させるときに、前記撮影モードに切り換え、前記電源制御手段は、前記検出温度が前記第１設定温度よりも低い第２設定温度を超えて前記第１設定温度以下である状態で前記判定手段により前記調整が可能でないと判定されたときには、電源をオンしたまま前記モード切換手段を作動して前記省電力モードに切り換え、前記検出温度が前記第２設定温度以下である状態で前記判定手段により前記調整が可能でないと判定されたときには、電源をオンしたまま前記撮影モードを継続させることが好ましい。
【００１０】
さらに、前記判定手段により前記調整が可能でないと判定されたときに、それを報知する報知手段を備え、前記電源制御手段は、前記報知手段により報知されてから、前記電源ボタン以外の操作ボタンが操作されないまま前記計測時間が第３設定時間を超えたときに、電源をオフすることが好ましい。
【００１１】
また、前記判定手段は、前記調整を複数回開始させることが好ましい。
【００１２】
さらに、本発明の電子装置の制御方法は、操作ボタンが操作されないまま計測時間が設定時間を超えたときに、撮像手段で撮像する被写体像に対する露出調整と焦点調整との少なくとも一方を開始させるとともに、前記少なくとも一方による調整が可能であるか否かを判定し、この判定結果に基づいて電源のオン／オフを制御することを特徴とする。
【発明の効果】
【００１３】
本発明によれば、電源ボタン以外の操作ボタンが操作されないまま計測時間が第１設定時間を超えたときに、被写体像に対する露出調整と焦点調整との少なくとも一方による調整が可能であるか否かを判定し、この判定結果に基づいて、電源のオン／オフを制御するから、調整が不能であるときには電源をオフするように設定すれば、カバンやポケットの中に収納されているとき等の意図しない電源オン時の無駄な電力消費を確実に抑制することができる。また、第１設定時間を短い時間に設定した場合にも、調整が可能であるときには電源をオフしないように設定すれば、撮影中に電源がオフされることがない。
【発明を実施するための最良の形態】
【００１４】
図１に示すように、本発明を実施したデジタルカメラ２は、カメラ本体３の前面に、複数の撮影レンズ４が組み込まれたレンズ鏡筒５が設けられている。カメラ本体３の上面には、電源ボタン６、レリーズボタン７等が設けられている。レンズ鏡筒５は、デジタルカメラ２が電源オフ状態にある際に、カメラ本体３の内部に収納され、撮影モードに移行されたときにカメラ本体３の前面から突出する。
【００１５】
レリーズボタン７は、２段押しの構造とされている。レリーズボタン７を軽く押圧（半押し）すると、露出調整や焦点調整などの撮影準備動作が行われる。この状態でさらに押圧（全押し）すると、撮影動作が行われる。
【００１６】
図２に示すように、カメラ本体３の背面には、撮影画像や各種設定条件が表示されるＬＣＤ１０、各種設定及び表示画像の切り換えを行うためのメニューキー１１、ＬＣＤ１０に表示する画像を拡大及び縮小ズームさせるズームボタン１２、スピーカ５２（図３参照）から出力された音声を外部に発する複数のスピーカ開口１３が設けられている。本実施形態では、レリーズボタン７、メニューキー１１及びズームボタン１２を、操作ボタンと総称する。
【００１７】
デジタルカメラ２は、撮影モードと、撮影した画像を再生表示する再生モードと、撮影モード及び再生モードよりも消費電力が少ない省電力モードとが設けられている。メニューキー１１の操作により、撮影モードと再生モードとで切り換えられる。
【００１８】
図３は、デジタルカメラ２内部の電気的構成を示すブロック図であり、撮影レンズ４の背後には、撮影レンズ４を透過した被写体光が入射するＣＣＤ２１が配置されている。このＣＣＤ２１は、被写体像を光電変換して時系列の３色信号を発生し、これを相関二重サンプリング回路（ＣＤＳ）２２に送る。ＣＣＤドライバ２６には、ＣＰＵ３０によって制御されるＴＧ（タイミングジェネレータ）２７からのタイミング信号（クロック信号）が入力される。このＣＣＤドライバ２６によって、ＣＣＤ２１が作動される。ＣＣＤ２１から出力された３色信号は、ＣＤＳ２２でノイズ成分が除去され、ＣＣＤ２１の各セルの蓄積電荷量に正確に対応した３色信号に変換される。ＣＤＳ２２から出力された３色信号は、ＩＳＯ感度に応じて増幅器（ＡＭＰ）２３で増幅され、Ａ／Ｄ変換器２４で画像データに変換される。
【００１９】
フォーカスモータ２８は、モータドライバ（図示せず）を介してＣＰＵ３０により駆動され、複数の撮影レンズ４を移動して焦点調整を行う。
【００２０】
画像入力コントローラ２５は、データバス２９を介してＣＰＵ３０に接続されており、ＣＰＵ３０の命令によってＣＤＳ２２，ＡＭＰ２３，Ａ／Ｄ変換器２４を制御する。また、Ａ／Ｄ変換器２４から出力された画像データをビデオメモリ３１、あるいはバッファメモリ３３に書き込む。
【００２１】
ビデオメモリ３１は、ＬＣＤ１０をビューファインダとして使用する際に、解像度の低いスルー画の画像データが一時的に記憶される。このスルー画の画像データは、データバス２９を介してＬＣＤドライバ３２に送られ、スルー画がＬＣＤ１０に表示される。バッファメモリ３３は、撮像された高解像度の画像データが一時的に記憶される。このバッファメモリ３３から読み出された画像データは、メモリコントローラ３４によって駆動制御されるデータリーダによりＲＡＭ３５に記憶される。
【００２２】
画像信号処理部３６は、画質補正回路４１、ＡＥ回路４２、ＡＦ回路４３を備える。各回路４１〜４３は、レリーズボタン７が半押しされたとき等に、ビデオメモリ３１に記憶されたスルー画の画像データにアクセスして各種の画像処理を施す。
【００２３】
画質補正回路４１は、例えば階調変換、色変換、画像の超低周波濃度成分の階調を圧縮するハイパートーン処理、粒状を抑制しながらシャープネスを強調するハイパーシャープネス処理等の画像処理を施す。
【００２４】
ＡＥ回路４２は、ビデオメモリ３１に記憶されたスルー画の画像データに基づいて、公知の算出方法により被写体の輝度を算出し、露出値を決定する。ＣＰＵ３０は、この露出値に応じて絞り（図示せず）等を調節する。
【００２５】
ＡＦ回路４３は、ビデオメモリ３１に記憶されたスルー画のコントラストから、合焦状態を検出して、焦点位置を算出する。ＣＰＵ３０は、この算出された焦点位置に基づいてフォーカスモータ２８を駆動して、複数の撮影レンズ４を移動する。
【００２６】
ＣＰＵ３０は、電源オン時にはタイマ４６を作動する。バッテリ４７は、デジタルカメラ２内部に内蔵され、ＬＣＤ１０やＣＰＵ３０などの各部へ電力を供給する。バッテリ４７はＣＰＵ３０に接続されており、このＣＰＵ３０によって各部に供給する電力が制御される。温度検出センサ４８は、カメラ本体３内の温度を検出する。なお、省電力モードでは、ＣＰＵ３０及びタイマ４６にのみ電力を供給する。
【００２７】
操作ボタンが操作されないままタイマ４６の計測時間が設定時間（例えば、２分）を超えたことに応じて、ＣＰＵ３０は、省電力モードに切り換える。省電力モード中に操作ボタンが操作されると、ＣＰＵ３０は、撮影モードまたは再生モードに切り換える。本実施形態では、ＣＰＵ３０は、モード切換手段としても機能する。
【００２８】
無操作時間（操作ボタンを操作していない状態でのタイマ４６の計測時間）が設定時間（例えば、３分）を超えたことに応じて、判定部５０は、ＣＰＵ３０に調整開始信号を出力する。ＣＰＵ３０は、調整開始信号の入力に応じて、撮影モードに切り換えた後、画像信号処理部３６による調整を複数回（例えば、２回）開始する。判定部５０は、ＡＥ回路４２により露出値が決定されたか（露出調整が可能であったか）否か、及びＡＦ回路４３により焦点位置が算出されたか（焦点調整が可能であったか）否かを判定する。
【００２９】
デジタルカメラ２がカバンやポケットの中に収納されているとき等には、ビデオメモリ３１に記憶されたスルー画は真っ黒な画となる。この場合、ＡＥ回路４２は、輝度を算出することができないため、露出値が決定されず、ＡＦ回路４３は、スルー画のコントラストから合焦状態を検出することができないため、焦点位置が算出されない。この状態では、露出調整及び焦点調整のいずれも不能であると判定部５０で判定される。
【００３０】
判定部５０は、２回とも露出調整及び焦点調整のいずれも不能であると判定し、且つ温度検出センサ４８による検出温度が設定温度（例えば、５０℃）を超えている場合には、ＣＰＵ３０に調整不能信号を出力する。ＣＰＵ３０は、調整不能信号の入力に応じて、誤って電源オンされている旨の音声（例えば、「誤電源オンされています」）をスピーカ５２から出力する。
【００３１】
判定部５０は、ＣＰＵ３０に調整不能信号を出力してからの無操作時間が設定時間（例えば、３０秒）を超えたことに応じて、ＣＰＵ３０に電源オフ信号を出力する。ＣＰＵ３０は、電源オフ信号の入力に応じて、電源をオフする。本実施形態では、ＣＰＵ３０は、電源制御手段としても機能する。
【００３２】
判定部５０は、２回とも露出調整及び焦点調整のいずれも不能であると判定し、且つ温度検出センサ４８による検出温度が４０℃を超えて５０℃以下である場合には、ＣＰＵ３０に省電力モード信号を出力する。ＣＰＵ３０は、省電力モード信号の入力に応じて、省電力モードに切り換える。
【００３３】
次に、デジタルカメラ２の作用について、図４のフローチャートを用いて説明を行う。電源をオンすると（ステップ（以下，Ｓ）１）、ＣＰＵ３０は、タイマ４６を作動する（Ｓ２）とともに、温度検出センサ４８による温度検出を開始する（Ｓ３）。操作ボタンを操作していない無操作時間が２分を超えたとき（Ｓ４でＹ）には、ＣＰＵ３０は、省電力モードに切り換える（Ｓ５）。無操作時間が３分を超えたとき（Ｓ６でＹ）には、判定部５０は、ＣＰＵ３０に調整開始信号を出力して、撮影モードに切り換えた（Ｓ７）後に、画像信号処理部３６による調整を２回開始する（Ｓ８）。判定部５０は、画像信号処理部３６のＡＥ回路４２及びＡＦ回路４３による焦点調整及び露出調整が可能であったか否かを判定する（Ｓ９）。
【００３４】
判定部５０は、２回とも露出調整及び焦点調整のいずれも不能であると判定し（Ｓ９でＮ）、且つ温度検出センサ４８による検出温度が５０℃を超えている場合（Ｓ１０でＹ）には、ＣＰＵ３０に調整不能信号を出力する。ＣＰＵ３０は、調整不能信号の入力に応じて、スピーカ５２から「誤電源オンされています」という音声を出力する（Ｓ１１）。
【００３５】
判定部５０は、ＣＰＵ３０に調整不能信号を出力してからの無操作時間が３０秒を超えたとき（Ｓ１２でＹ）には、ＣＰＵ３０に電源オフ信号を出力する。ＣＰＵ３０は、電源オフ信号の入力に応じて、電源をオフする（Ｓ１３）。
【００３６】
判定部５０は、検出温度が４０℃を超えて５０℃以下である場合（Ｓ１０でＮ、Ｓ１４でＹ）には、ＣＰＵ３０に省電力モード信号を出力する。ＣＰＵ３０は、省電力モード信号の入力に応じて、省電力モードに切り換える（Ｓ５）。また、ＣＰＵ３０は、検出温度が４０℃以下である場合（Ｓ１０でＮ、Ｓ１４でＮ）には、撮影モードを継続する（Ｓ１５）。
【００３７】
このように、操作ボタンを操作していない無操作時間が３分を超えたときに、焦点調整及び露出調整を２回行い、これらの調整が２回とも不能で、且つ検出温度が５０℃を超えている場合には、電源がオフされるから、焦点調整及び露出調整が不能となる意図しない電源オン（例えば、カバンの中での電源オン）時の無駄な電力消費を確実に抑制することができる。
【００３８】
また、検出温度が５０℃を超えている場合は、即座に電源がオフされるから、温度上昇による低温やけどや故障を防止することができる。さらには、検出温度が５０℃以下の場合には、電源をオンしたまま省電力モードへの切り換えまたは撮影モードの継続が行われるため、電源ボタン６を操作して電源をオンし直すことなく連続使用することができる。
【００３９】
なお、上記実施形態では、露出調整及び焦点調整のいずれも不能であるときに、電源をオフしたが、いずれか一方が不能であるときに、電源をオフしてもよい。
【００４０】
また、上記実施形態では、誤って電源オンされている旨をスピーカにより報知したが、ＬＥＤやＬＣＤ等により報知してもよい。
【００４１】
さらに、上記実施形態では、デジタルカメラについて説明したが、フィルムカメラ、携帯電話、ＰＤＡ、楽曲再生装置等にも、本発明を利用することができる。
【図面の簡単な説明】
【００４２】
【図１】本発明を実施したデジタルカメラを示す正面斜視図である。
【図２】デジタルカメラを示す背面図である。
【図３】デジタルカメラ内部の電気的構成を示すブロック図である。
【図４】電源オンからオフまでの処理の流れを示すフローチャートである。
【符号の説明】
【００４３】
２  デジタルカメラ（電子装置）
６  電源ボタン
７  レリーズボタン
１１  メニューキー
１２  ズームボタン
３０  ＣＰＵ
３６  画像信号処理部
４２  ＡＥ回路
４３  ＡＦ回路
４６  タイマ
５０  判定部
【図１】
2010135976.tif 000003
【図２】
2010135976.tif 000004
【図３】
2010135976.tif 000005
【図４】
2010135976.tif 000006